(57)【要約】【課題】撮像装置のレスポンスを低下させることなく、絞り径の誤差による露出バラツキを低減させる。【解決手段】撮像装置において、本露光撮影時の絞りの駆動誤差を補正するために行なう測光動作を、オートフォーカス時に設定する絞り値と、本露光撮影時に設定される絞り値とが同じ場合には省略することにより、シャッターレリーズタイムラグを低減する。【選択図】      図４
2005215206.tif 000002
【特許請求の範囲】
【請求項１】
絞りを有するレンズにより結像された被写体像を光電変換する撮像手段と、
該撮像手段から出力される画像信号に基づいて被写体輝度を求める測光動作を行なう第１の測光手段と、
該第１の測光手段により求められた測光値に基づいて、前記レンズの焦点調節を行なうオートフォーカス動作を行なうときの第１の絞り値及び第１のシャッタースピードを決定する第１の決定手段と、
前記第１の絞り値を目標値として前記絞りを動作させたときの実際の絞り値である第２の絞り値と前記第１のシャッタースピードで被写体像を撮像した画像信号に基づいて前記測光動作を行なう第２の測光手段と、
該第２の測光手段により求められた測光値と前記第２の絞り値に基づいて、前記第１のシャッタースピードを補正して、第２のシャッタースピードを決定する第２の決定手段と、
前記第２の測光手段により求められた測光値に基づいて、前記撮像手段の本撮影のための第３の絞り値及び第３のシャッタースピードを決定する第３の決定手段と、
前記第３の絞り値を目標値として前記絞りを動作させたときの実際の絞り値である第４の絞り値と前記第３のシャッタースピードで被写体像を撮像した画像信号に基づいて前記測光動作を行なう第３の測光手段と、
該第３の測光手段により求められた測光値と前記第４の絞り値に基づいて、前記第３のシャッタースピードを補正して、第４のシャッタースピードを決定する第４の決定手段と、
前記第１の絞り値と前記第３の絞り値とが同一である場合に、前記第３の測光手段と第４の決定手段の動作を行なわず、且つ絞り駆動を行なうことなく前記第２のシャッタースピードで前記本撮影を行なう制御手段とを具備することを特徴とする撮像装置。
【請求項２】
前記第１の決定手段は、前記第１の測光手段により求められた測光値と、オートフォーカス動作を行なうときの絞り値とシャッタースピードの関係を示すオートフォーカス用プログラム線図とに基づいて、前記第１の絞り値及び第１のシャッタースピードを決定することを特徴とする請求項１に記載の撮像装置。
【請求項３】
前記第３の決定手段は、前記第２の測光手段により求められた測光値と、本撮影動作を行なうときの絞り値とシャッタースピードの関係を示す本撮影用プログラム線図とに基づいて、前記第３の絞り値及び第３のシャッタースピードを決定することを特徴とする請求項１に記載の撮像装置。
【請求項４】
前記第２の絞り値と前記第２のシャッタースピードを用いて被写体像を撮像して前記オートフォーカス動作を行なうオートフォーカス手段をさらに具備することを特徴とする請求項１に記載の撮像装置。
【請求項５】
前記第３の絞り値と前記第３のシャッタースピード、又は前記第４の絞り値と前記第４のシャッタースピードを用いて本撮影を行なう本撮影手段をさらに具備することを特徴とする請求項１に記載の撮像装置。
【請求項６】
絞りを有するレンズにより結像された被写体像を光電変換する撮像工程と、
該撮像工程において出力される画像信号に基づいて被写体輝度を求める測光動作を行なう第１の測光工程と、
該第１の測光工程において求められた測光値に基づいて、前記レンズの焦点調節を行なうオートフォーカス動作を行なうときの第１の絞り値及び第１のシャッタースピードを決定する第１の決定工程と、
前記第１の絞り値を目標値として前記絞りを動作させたときの実際の絞り値である第２の絞り値と前記第１のシャッタースピードで被写体像を撮像した画像信号に基づいて前記測光動作を行なう第２の測光工程と、
該第２の測光工程において求められた測光値と前記第２の絞り値に基づいて、前記第１のシャッタースピードを補正して、第２のシャッタースピードを決定する第２の決定工程と、
前記第２の測光工程において求められた測光値に基づいて、前記撮像手段の本撮影のための第３の絞り値及び第３のシャッタースピードを決定する第３の決定工程と、
前記第３の絞り値を目標値として前記絞りを動作させたときの実際の絞り値である第４の絞り値と前記第３のシャッタースピードで被写体像を撮像した画像信号に基づいて前記測光動作を行なう第３の測光工程と、
該第３の測光工程において求められた測光値と前記第４の絞り値に基づいて、前記第３のシャッタースピードを補正して、第４のシャッタースピードを決定する第４の決定工程と、
前記第１の絞り値と前記第３の絞り値とが同一である場合に、前記第３の測光工程と第４の決定工程を行なわず、且つ絞り駆動を行なうことなく前記第２のシャッタースピードで前記本撮影を行なう本撮影工程とを具備することを特徴とする撮像方法。
【請求項７】
前記第１の決定工程では、前記第１の測光工程において求められた測光値と、オートフォーカス動作を行なうときの絞り値とシャッタースピードの関係を示すオートフォーカス用プログラム線図とに基づいて、前記第１の絞り値及び第１のシャッタースピードを決定することを特徴とする請求項６に記載の撮像方法。
【請求項８】
前記第３の決定工程では、前記第２の測光工程において求められた測光値と、本撮影動作を行なうときの絞り値とシャッタースピードの関係を示す本撮影用プログラム線図とに基づいて、前記第３の絞り値及び第３のシャッタースピードを決定することを特徴とする請求項６に記載の撮像方法。
【請求項９】
前記第２の絞り値と前記第２のシャッタースピードを用いて被写体像を撮像して前記オートフォーカス動作を行なうオートフォーカス工程をさらに具備することを特徴とする請求項６に記載の撮像方法。
【請求項１０】
請求項６乃至９のいずれか１項に記載の撮像方法をコンピュータに実行させることを特徴とするプログラム。
【請求項１１】
請求項１０に記載のプログラムをコンピュータ読み取り可能に記憶したことを特徴とする記憶媒体。
【発明の詳細な説明】
【技術分野】
【０００１】
本発明は、撮像装置において、測光を行ない、絞り値とシャッタースピードを決定する技術に関するものである。
【背景技術】
【０００２】
従来よりデジタルカメラ等には、絞りが備えられているが、絞りを動作させたときの機械的誤差等の要因により、狙った絞り径の大きさにならないという問題がある。すなわち、絞りを設定しようとしても設定した絞りの径にならず、そのまま撮影してしまうと誤差により露出バラつきが生じてしまう。
【特許文献１】特開平９−１５６７５号公報
【発明の開示】
【発明が解決しようとする課題】
【０００３】
この絞り径の誤差の対策として、絞りを動作させた後に測光動作を行う手法が知られている。すなわち誤差を含む絞りの径で測光を行ない、その絞りの径の大きさで輝度を測定し、適正な露出となるようにシャッタースピードを決定する。
【０００４】
しかしながら、この手法においては、必ず絞りを動作させた後に測光を行う必要があり、その測光を行うための時間が発生するため、カメラのレスポンスの低下を引き起こすという問題がある。
【０００５】
したがって、本発明は上述した課題に鑑みてなされたものであり、その目的は、撮像装置のレスポンスを低下させることなく、絞り径の誤差による露出バラツキを低減させることである。
【課題を解決するための手段】
【０００６】
上述した課題を解決し、目的を達成するために、本発明に係わる撮像装置は、絞りを有するレンズにより結像された被写体像を光電変換する撮像手段と、該撮像手段から出力される画像信号に基づいて被写体輝度を求める測光動作を行なう第１の測光手段と、該第１の測光手段により求められた測光値に基づいて、前記レンズの焦点調節を行なうオートフォーカス動作を行なうときの第１の絞り値及び第１のシャッタースピードを決定する第１の決定手段と、前記第１の絞り値を目標値として前記絞りを動作させたときの実際の絞り値である第２の絞り値と前記第１のシャッタースピードで被写体像を撮像した画像信号に基づいて前記測光動作を行なう第２の測光手段と、該第２の測光手段により求められた測光値と前記第２の絞り値に基づいて、前記第１のシャッタースピードを補正して、第２のシャッタースピードを決定する第２の決定手段と、前記第２の測光手段により求められた測光値に基づいて、前記撮像手段の本撮影のための第３の絞り値及び第３のシャッタースピードを決定する第３の決定手段と、前記第３の絞り値を目標値として前記絞りを動作させたときの実際の絞り値である第４の絞り値と前記第３のシャッタースピードで被写体像を撮像した画像信号に基づいて前記測光動作を行なう第３の測光手段と、該第３の測光手段により求められた測光値と前記第４の絞り値に基づいて、前記第３のシャッタースピードを補正して、第４のシャッタースピードを決定する第４の決定手段と、前記第１の絞り値と前記第３の絞り値とが同一である場合に、前記第３の測光手段と第４の決定手段の動作を行なわず、且つ絞り駆動を行なうことなく前記第２のシャッタースピードで前記本撮影を行なう制御手段とを具備することを特徴とする。
【０００７】
また、この発明に係わる撮像装置において、前記第１の決定手段は、前記第１の測光手段により求められた測光値と、オートフォーカス動作を行なうときの絞り値とシャッタースピードの関係を示すオートフォーカス用プログラム線図とに基づいて、前記第１の絞り値及び第１のシャッタースピードを決定することを特徴とする。
【０００８】
また、この発明に係わる撮像装置において、前記第３の決定手段は、前記第２の測光手段により求められた測光値と、本撮影動作を行なうときの絞り値とシャッタースピードの関係を示す本撮影用プログラム線図とに基づいて、前記第３の絞り値及び第３のシャッタースピードを決定することを特徴とする。
【０００９】
また、この発明に係わる撮像装置において、前記第２の絞り値と前記第２のシャッタースピードを用いて被写体像を撮像して前記オートフォーカス動作を行なうオートフォーカス手段をさらに具備することを特徴とする。
【００１０】
また、この発明に係わる撮像装置において、前記第３の絞り値と前記第３のシャッタースピード、又は前記第４の絞り値と前記第４のシャッタースピードを用いて本撮影を行なう本撮影手段をさらに具備することを特徴とする。
【００１１】
また、本発明に係わる撮像方法は、絞りを有するレンズにより結像された被写体像を光電変換する撮像工程と、該撮像工程において出力される画像信号に基づいて被写体輝度を求める測光動作を行なう第１の測光工程と、該第１の測光工程において求められた測光値に基づいて、前記レンズの焦点調節を行なうオートフォーカス動作を行なうときの第１の絞り値及び第１のシャッタースピードを決定する第１の決定工程と、前記第１の絞り値を目標値として前記絞りを動作させたときの実際の絞り値である第２の絞り値と前記第１のシャッタースピードで被写体像を撮像した画像信号に基づいて前記測光動作を行なう第２の測光工程と、該第２の測光工程において求められた測光値と前記第２の絞り値に基づいて、前記第１のシャッタースピードを補正して、第２のシャッタースピードを決定する第２の決定工程と、前記第２の測光工程において求められた測光値に基づいて、前記撮像手段の本撮影のための第３の絞り値及び第３のシャッタースピードを決定する第３の決定工程と、前記第３の絞り値を目標値として前記絞りを動作させたときの実際の絞り値である第４の絞り値と前記第３のシャッタースピードで被写体像を撮像した画像信号に基づいて前記測光動作を行なう第３の測光工程と、該第３の測光工程において求められた測光値と前記第４の絞り値に基づいて、前記第３のシャッタースピードを補正して、第４のシャッタースピードを決定する第４の決定工程と、前記第１の絞り値と前記第３の絞り値とが同一である場合に、前記第３の測光工程と第４の決定工程を行なわず、且つ絞り駆動を行なうことなく前記第２のシャッタースピードで前記本撮影を行なう本撮影工程とを具備することを特徴とする。
【００１２】
また、この発明に係わる撮像方法において、前記第１の決定工程では、前記第１の測光工程において求められた測光値と、オートフォーカス動作を行なうときの絞り値とシャッタースピードの関係を示すオートフォーカス用プログラム線図とに基づいて、前記第１の絞り値及び第１のシャッタースピードを決定することを特徴とする。
【００１３】
また、この発明に係わる撮像方法において、前記第３の決定工程では、前記第２の測光工程において求められた測光値と、本撮影動作を行なうときの絞り値とシャッタースピードの関係を示す本撮影用プログラム線図とに基づいて、前記第３の絞り値及び第３のシャッタースピードを決定することを特徴とする。
【００１４】
また、この発明に係わる撮像方法において、前記第２の絞り値と前記第２のシャッタースピードを用いて被写体像を撮像して前記オートフォーカス動作を行なうオートフォーカス工程をさらに具備することを特徴とする。
【００１５】
また、本発明に係わるプログラムは、上記の撮像方法をコンピュータに実行させることを特徴とする。
【００１６】
また、本発明に係わる記憶媒体は、上記のプログラムをコンピュータ読み取り可能に記憶したことを特徴とする。
【発明の効果】
【００１７】
本発明によれば、撮像装置のレスポンスを低下させることなく、絞り径の誤差による露出バラツキを低減させることが可能となる。
【発明を実施するための最良の形態】
【００１８】
以下、本発明の好適な一実施形態について、図面を参照して詳細に説明する。
【００１９】
図１は、本発明の一実施形態に係わる撮像装置の構成を示すブロック図である。
【００２０】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２１】
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
【００２２】
２０は画像処理回路であり、 Ａ／Ｄ変換器１６からのデータ或いはメモリ制御回路２２からのデータに対して所定の画素補間処理や色変換処理を行う。
【００２３】
また、画像処理回路２０においては、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００２４】
さらに、画像処理回路２０においては、撮像した画像データを用いて所定の演算処理を行い、得られた演算結果に基づいてＴＴＬ方式のＡＷＢ（オートホワイトバランス）処理も行っている。
【００２５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２６】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２７】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００２８】
画像表示部２８を用いて撮像した画像データを逐次表示すれば、電子ファインダー機能を実現することが可能である。
【００２９】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００３０】
３０は撮影した静止画像や動画像を格納するためのメモリであり、所定枚数の静止画像や所定時間の動画像を格納するのに十分な記憶量を備えている。
【００３１】
これにより、複数枚の静止画像を連続して撮影する連射撮影やパノラマ撮影の場合にも、高速かつ大量の画像書き込みをメモリ３０に対して行うことが可能となる。
【００３２】
また、メモリ３０はシステム制御回路５０の作業領域としても使用することが可能である。
【００３３】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３４】
４０は絞り機能を備えるシャッター１２を制御する露光制御部であり、フラッシュ４８と連携することによりフラッシュ調光機能も有するものである。
【００３５】
４２は撮影レンズ１０のフォーカシングを制御する測距制御部、４４は撮影レンズ１０のズーミングを制御するズーム制御部、４６はバリアである保護装置１０２の動作を制御するバリア制御部である。
【００３６】
４８はフラッシュであり、ＡＦ補助光の投光機能、フラッシュ調光機能も有する。
【００３７】
露光制御部４０、測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００３８】
５０は撮像装置１００全体を制御するシステム制御回路、５２はシステム制御回路５０の動作用の定数、変数、プログラム等を記憶するメモリである。
【００３９】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００４０】
また、表示部５４は、その一部の機能が光学ファインダー１０４内に設置されている。
【００４１】
表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００４２】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００４３】
５６は電気的に消去・記録可能な不揮発性メモリであり、例えばＥＥＰＲＯＭ等が用いられる。
【００４４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４５】
ここで、これらの操作手段の具体的な説明を行う。
【００４６】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４７】
６２はシャッタースイッチＳＷ１で、シャッターボタンの操作途中（シャッターボタンの半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４８】
６４はシャッタースイッチＳＷ２で、シャッターボタンの操作完了（シャッターボタンの全押し）でＯＮとなり、撮像素子１２から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４９】
６６は画像表示ＯＮ／ＯＦＦスイッチで、画像表示部２８のＯＮ／ＯＦＦを設定することが出来る。
【００５０】
この機能により、光学ファインダー１０４を用いて撮影を行う際に、ＴＦＴ ＬＣＤ等から成る画像表示部への電力供給を遮断することにより、省電力を図ることが可能となる。
【００５１】
６８はクイックレビューＯＮ／ＯＦＦスイッチで、撮影直後に撮影した画像データを自動再生するクイックレビュー機能を設定する。なお、本実施形態では特に、画像表示部２８をＯＦＦとした場合におけるクイックレビュー機能の設定をする機能を備えるものとする。
【００５２】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、画像削除ボタン、画像削除取消しボタン等がある。
【００５３】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５４】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源部である。
【００５５】
９０及び９４はメモリカードやハードディスク等の記録媒体とのインタフェース、９２及び９６はメモリカードやハードディスク等の記録媒体と接続を行うコネクタ、９８はコネクタ９２及び／或いは９６に記録媒体２００及び／或いは２１０が装着されているか否かを検知する記録媒体着脱検知部である。
【００５６】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５７】
インターフェース及びコネクタとしては、ＰＣＭＣＩＡカードやＣＦ（コンパクトフラッシュ（登録商標））カード等の規格に準拠したものを用いて構成して構わない。
【００５８】
さらに、インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５９】
１０２は、撮像装置１００のレンズ１０を含む撮像部を覆うことにより、撮像部の汚れや破損を防止するバリアである保護装置である。
【００６０】
１０４は光学ファインダであり、画像表示部２８による電子ファインダー機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００６１】
１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００６２】
１１２は通信部１１０により撮像装置１００を他の機器と接続するコネクタ或いは無線通信の場合はアンテナである。
【００６３】
２００はメモリカードやハードディスク等の記録媒体である。
【００６４】
記録媒体２００は、半導体メモリや磁気ディスク等から構成される記録部２０２、撮像装置１００とのインタフェース２０４、撮像装置１００と接続を行うコネクタ２０６を備えている。
【００６５】
２１０はメモリカードやハードディスク等の記録媒体である。
【００６６】
記録媒体２１０は、半導体メモリや磁気ディスク等から構成される記録部２１２、撮像装置１００とのインタフェース２１４、撮像装置１００と接続を行うコネクタ２１６を備えている。
【００６７】
図２は、本実施形態の撮像装置を電子カメラとして構成した場合の斜視図である。
【００６８】
２−１は電源ＯＮ／ＯＦＦのためのボタンである。２−２はモード切り替えレバーで、撮影モード、再生モード、動画撮影モード、静止画撮影モード等の各機能モードを切り替え設定することができる。２−３はシャッターボタンを示す。
【００６９】
カメラの撮影画像は画像表示部に表示されるが、これは通常ＬＣＤ（液晶ディスプレイ）を使用しているので、以下、ＬＣＤと称する。静止画像及び／或いは動画像の再生等のための画面もこのＬＣＤ  ２−４に表示される。２−５はＭＥＮＵボタンで、撮影パラメータやカメラの設定を変更するためのメニュー画面に出入りするためのボタンである。２−６はＳＥＴボタンで、メニューの決定等に使用する。２−７は削除ボタンで、画像の削除を指定することができる。２−８はＤＩＳＰボタンで、ＬＣＤ  ２−４における表示の有り無しなどを切り替えるボタンである。２−９は十字ボタンで、この上下左右ボタンを使ってメニュー画面での項目の移動などを行ったり、再生モードでは左右ボタンを押して画像送りを行ったりするのに使用する。
【００７０】
次に本実施形態の撮像装置の動作の流れを図３と図４のフローチャートを用いて説明する。
【００７１】
撮像装置のシャッタースイッチＳＷ１が押されると、２０１で測光動作が行われる（Step１）。測光された被写体輝度値(Ｅｖ０)は２０３のＡＦＰ線図（オートフォーカスプログラム線図）へと送られ、オートフォーカス動作を行うための絞り値(Ａｖ０)とシャッタースピード値(Ｔｖ０)が決定される（Step２）。２０２のＡｖＴｖ制御では決定された絞り値をもとに絞りを動作させ（Step３）、電子シャッターのシャッタースピードを設定する。ただしここではＡｖ０を目標に絞りを動作させるが、メカ的誤差を含むため、絞りの大きさが完全にＡｖ０とならない場合がある。次に２０４の測光（Step４）において、２０２でＡｖ０を目標に絞り駆動を行なったときの実際の絞り値(Ａｖ１)と電子シャッター（Ｔｖ０）で測光を行う。ここで測光された輝度値(Ｅｖ１)と実際の絞り値(Ａｖ１)とから、２０５のＴｖ制御においては実際の絞り値Ａｖ１で最適露出になるようなシャッタースピード値Ｔｖ１が求められる（Step５）。この考え方を以下に示す。
【００７２】
２０１で測光された輝度値Ｅｖ０と２０３で決定されたＡｖ０、Ｔｖ０の関係は式（１）で示される。
【００７３】
Ｅｖ０＝Ａｖ０＋Ｔｖ０                …（１）
すなわち（１）式は、Ｅｖ０の被写体を撮影するためには絞り値Ａｖ０とシャッタースピードＴｖ０で撮影すれば適正露出となることを意味する。
【００７４】
また２０２で絞り駆動をされた現実の絞り値をＡｖ１とし、２０４で測光された輝度値をＥｖ１とするならば、実際の絞り値（Ａｖ１）で適正露出を得るためのシャッタースピードＴｖ１は以下で求めることができる。
【００７５】
Ａｖ１＝Ａｖ０＋ΔＡｖ０とすると、Ｅｖ１＝Ａｖ１＋Ｔｖ０＝（Ａｖ０＋ΔＡｖ０）＋Ｔｖ０であるから、ΔＡｖ０＝Ｅｖ１−Ｅｖ０であるが、被写体の現実の輝度値はＥｖ０であることから、Ｅｖ０＝Ａｖ１＋Ｔｖ１が成り立つように設定されるべきであるので、
Ｔｖ１＝Ｅｖ０−Ａｖ１＝Ｔｖ０−ΔＡｖ０    …（２）
２０２で動作設定された実際の絞り値Ａｖ１と２０５で求められたシャッタースピード値Ｔｖ１を用いることで、絞り誤差を除去した適性の輝度レベルで２０６のＡＦの動作が行われる。このＡＦの動作についてはここでは詳述しないが、ピント位置を複数ステップ動かし、一番高周波成分の多いステップにピント位置を設定する（Step６）。
【００７６】
ＡＦ動作が終了すると、２０４で測光された輝度値Ｅｖ１から２０８の撮像Ｐ線図において、撮像をおこなうための絞り値Ａｖ２とシャッタースピードＴｖ２が決定される（Step７）。
【００７７】
２０７の判定においては２０３のＡＦＰ線図（オートフォーカスプログラム線図）で決定された絞り値Ａｖ０と２０８の撮像Ｐ線図で決定された絞り値Ａｖ２の値の比較を行う（Step８）。ここで、Ａｖ０とＡｖ２が等しければ、絞り値Ａｖ２、２０５のＴｖ制御において求められたシャッタースピード値Ｔｖ１が２１２へと送られる（Step１２）。なお、この場合、上記のStep３で絞りがＡｖ０を目標値として駆動されてＡｖ１の絞り値になってから、最終的にStep１２で本撮影が行なわれるまで、絞りは駆動されず、Ａｖ１の値に保たれる。
【００７８】
また２０７の判定で、Ａｖ０とＡｖ２が等しくなければ、２０９のＡｖＴｖ制御は決定された絞り値をもとに絞りを動作させ（Step９）、シャッタースピードを設定する。また、ここでも２０２と同様にＡｖ２を目標に絞りを動作させるが、メカ的誤差を含むため、絞りの大きさが完全にＡｖ２とならない場合がある。次に２１０の測光において、２０９でＡｖ２を目標に絞り駆動を行なったときの実際の絞り値(Ａｖ３)と電子シャッター（Ｔｖ２）で測光を行う（Step１０）。ここで測光された輝度値(Ｅｖ３)と実際の絞り値(Ａｖ３)とから２１１のＴｖ制御において、実際の絞り値Ａｖ３で最適露出になるようなシャッタースピード値Ｔｖ３が求められる（Step１１）。この考え方を以下に示す。
【００７９】
２０４で測光された輝度値Ｅｖ１と２０８で決定されたＡｖ２、Ｔｖ２の関係は式（３）で示される。
【００８０】
Ｅｖ１＝Ａｖ２＋Ｔｖ２                …（３）
また２０９で動作設定された実際の絞り値をＡｖ３とし、２１０で測光された輝度値をＥｖ３とするならば、実際の絞り値で適正露出を得るためのシャッタースピードＴｖ３は２１１において式（４）で求められる。
【００８１】
Ａｖ３＝Ａｖ２＋ΔＡｖ２とすると、Ｅｖ１＝Ａｖ２＋Ｔｖ２であるから、ΔＡｖ２＝Ｅｖ３−Ｅｖ１であるが、被写体の輝度値はＥｖ１であることから、Ｅｖ１＝Ａｖ３＋Ｔｖ３が成り立つように設定されるべきであるので、
Ｔｖ３＝Ｔｖ２−（Ｅｖ３−Ｅｖ１）＝Ｅｖ１−Ａｖ３＝Ｔｖ２−ΔＡｖ２  …（４）
２１１で求められたシャッタースピード値Ｔｖ３と２０９で動作設定された実際の絞り値Ａｖ３が２１１へと送られる。
【００８２】
以上がＳＷ１が押されたときの動作であり、さらにシャッタースイッチＳＷ２が押されると２１２において設定された絞り値およびシャッタースピード値により撮影が行われる（Step１２）。
【００８３】
以上説明したように、上記の実施形態によれば、オートフォーカス時に設定した絞り値と、撮像時に用いる絞り値が同じ場合には、絞り誤差を排除するための測光動作を行わないシーケンスで撮像装置が動作するため、シャッターレリーズタイムラグを低減することが可能となる。
【００８４】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００８５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００８６】
本発明を上記記憶媒体に適用する場合、その記憶媒体には、先に説明したフローチャートに対応するプログラムコードが格納されることになる。
【図面の簡単な説明】
【００８７】
【図１】本発明の一実施形態に係わる撮像装置の構成を示すブロック図である。
【図２】一実施形態の撮像装置を電子カメラとして構成した場合の斜視図である。
【図３】一実施形態の撮像装置の動作の流れを説明するための図である。
【図４】一実施形態の撮像装置の動作の流れを説明するためのフローチャートである。
【図１】
2005215206.tif 000003
【図２】
2005215206.tif 000004
【図３】
2005215206.tif 000005
【図４】
2005215206.tif 000006